(57)【要約】本発明は、ディスプレイ装置に係る。当該ディスプレイ装置は、フラットスクリーン（１１）、キャビネット（１０，１２）、及び、キャビネットに対してスクリーンを固定する点を有する。該点の各々は、モノリシック構造のダンパー（１８）を有する。本発明によれば、スクリーンは、ダンパーを用いてキャビネットに対して接続され、スクリーンは、全ての方向においてキャビネットに関連して動き得る。
2008538144.tif 000002
【特許請求の範囲】
【請求項１】
フラットスクリーンと、キャビネットと、該キャビネットに対する前記スクリーンの取付け点と、を有するディスプレイ装置であって、
前記取付け点の各々は、ダンパーを有し、
該ダンパーの各々は、モノリシック構造であり、前記スクリーンは、前記キャビネットに対する前記スクリーンの相対運動を全ての方向において可能にするように前記ダンパーを用いて前記キャビネットに対して接続され、また、各ダンパーは、少なくとも１つの溝を有し、前記キャビネットは、前記ダンパーの各々に関連する前記キャビネットのガイド手段を有する、ことを特徴とする、
装置。
【請求項２】
各ダンパーは、凹部を有し、該凹部において、前記スクリーンに対して取り付けられるロッドが位置付けられ、前記ダンパーと前記スクリーンとの間における機械的接続を確保する、ことを特徴とする、
請求項１記載の装置。
【請求項３】
前記ロッドは、円筒形部分と、前記円筒形部分より上回る大きい直径を有するヘッドとを有する、ことを特徴とする、
請求項２記載の装置。
【請求項４】
前記ヘッドは、前記ダンパーにおいて収容される、ことを特徴とする、
請求項３記載の装置。
【請求項５】
前記装置は、少なくとも部分的に管状且つ剛性な部分を有し、
該管状且つ剛性な部分は、前記ロッドの移動を制限するよう前記ロッドの前記円筒形部分と前記ダンパーとの間に挿入され、前記ロッドの前記ヘッドは、前記管状且つ剛性な部分の一端に対して適用される、
ことを特徴とする、
請求項３又は４記載の装置。
【請求項６】
前記部分は、リベットであり、先端に対向する前記リベットのヘッドは、前記スクリーンに対して取り付けられる、ことを特徴とする、
請求項５記載の装置。
【請求項７】
前記ロッドは、ヘッドを有さない、ことを特徴とする、
請求項２記載の装置。
【請求項８】
各ダンパーは、円筒形である、ことを特徴とする、
請求項１乃至７のうちいずれか一項記載の装置。
【請求項９】
各ダンパーは、１つ又はそれより多い潤滑な周囲面を有する、ことを特徴とする、
請求項１乃至８のうちいずれか一項記載の装置。
【請求項１０】
前記キャビネットは、前記取付け点の各々に関連付けられる前記ダンパーの前記周囲面に対して取り付けられる少なくとも１つのストップを有する、ことを特徴とする、
請求項１乃至９のうちいずれか一項記載の装置。
【請求項１１】
前記キャビネットは、一体にされた前方面と後方面とを有し、前記取付け点の各々に対して、前記前方面及び後方面のうち少なくとも一方は、固定点の各々と関連付けられる前記ダンパーの１つ又はそれより多い周囲面に対して取り付けられる少なくとも１つのストップを有する、
ことを特徴とする、
請求項１乃至１０のうちいずれか一項記載の装置。
【請求項１２】
前記キャビネットは、一体にされた前方面と後方面とを有し、前記取付け点の各々に対して、前記前方面又は前記後方面のうち少なくとも一方は、前記ダンパーの位置付けを可能にするガイド手段を有する、
ことを特徴とする、
請求項１乃至１１のうちいずれか一項記載の装置。
【請求項１３】
前記ダンパーの各々は、エラストマ材料又は天然ゴムから作られる、ことを特徴とする、
請求項１乃至１２のうちいずれか一項記載の装置。
【請求項１４】
前記ダンパーの各々は、５０ショアＡより高いあるいは同等であり、且つ７０ショアＡより低いあるいは同等である、硬度を有する、ことを特徴とする、
請求項１乃至１３のうちいずれか一項記載の装置。
【請求項１５】
前記スクリーンは、液晶ディスプレイスクリーンである、ことを特徴とする、
請求項１乃至１４のうちいずれか一項記載の装置。
【発明の詳細な説明】
【技術分野】
【０００１】
本発明は、スクリーンの分野に係り、より具体的には、液晶型又はＬＣＤ（液晶ディスプレイ）等のフラットスクリーンの取付けに係る。
【背景技術】
【０００２】
従来技術によれば、フラットスクリーンは、キャビネットに対して剛性に取り付けられる。この技術は、効果的な衝撃抵抗性を可能にしない。
【０００３】
かかるスクリーンの機械的強度を向上させるよう、Ｓｉｅｍｅｎｓ（登録商標）社より出願された特許文献ＵＳ２００４／０１１８２９７９（特許文献１）は、４つのユニットを有するキャビネットに対してスクリーンを取り付けるシステムを開示する。該ユニットの各々は、スクリーンの特定のコーナー部と関連付けられる。この技術によれば、ユニットの各々は、弾性位置決め要素及び防振（ａｎｔｉ−ｖｉｂｒａｔｉｏｎ）要素を有する。位置決め要素は、ナット、及びスクリーンとキャビネットとの間における間隔を保証する部分を有する。防振要素は、ダンパーを有し、キャビネットに対する一側上及びＬＣＤスクリーンと接触する押出し部に対する他側上において固定され、ゲルで満たされる。ダンパーは、２つの別個の部分を構成し、サポートリング及びナットによって適所に保持される。この技術が有する不利点は、実施が比較的複雑である、という点である。
【特許文献１】ＵＳ２００４／０１１８２９７９
【発明の開示】
【発明が解決しようとする課題】
【０００４】
本発明は、従来技術の不利点を克服する、ことを目的とする。
【０００５】
より特には、本発明の目的は、効果的な衝撃及び／又は振動抵抗性を提示すると同時に比較的実施が単純なままである、キャビネット上へのフラットスクリーンの取付けを可能にすること、である。
【課題を解決するための手段】
【０００６】
この目的に対して、本発明は、フラットスクリーンと、キャビネットと、各々がダンパーを有する、キャビネットに対するスクリーンの取付け点とを有するディスプレイ装置を提案する。当該装置は、ダンパーの各々がモノリシック構造であること、及び、キャビネットにおけるスクリーンの相対運動が全ての方向において可能であるよう、スクリーンがダンパーを介してキャビネットに対して接続されること、において注目される。
【０００７】
望ましい特徴によれば、各ダンパーは、少なくとも１つの溝を有し、キャビネットは、ダンパーの各々に関してキャビネットの複数のガイド手段を有する。
【０００８】
故に、キャビネット内部におけるスクリーンの位置付けは、より容易にされると同時に単純な実施を可能にする。
【０００９】
望ましくは、各ダンパーは、凹部を有する。該凹部においては、スクリーンに対して取り付けられるロッドが位置付けられ、ダンパーとスクリーンとの間における機械的接続を確保する。
【００１０】
有利には、ロッドは、円筒形部分及び、該円筒形部分より大きい直径を有するヘッドを有する。
【００１１】
望ましい一特徴によれば、ヘッドは、ダンパーの内部において収容される。
【００１２】
有利な一特徴によれば、当該装置は、少なくとも部分的に管状且つ剛性である部分を有する。該管状且つ剛性な部分は、ロッドの円筒形部分とダンパーとの間において挿入され、ロッドの移動を制限する。ロッドのヘッドは、管状且つ剛性な部分の一端に対して適用される。
【００１３】
特定の一特徴によれば、該部分は、リベットであり、端部に対向する該リベットのヘッドは、スクリーンに対して取り付けられる。
【００１４】
他の特徴によれば、ロッドは、ヘッドを有さない。
【００１５】
望ましくは、各ダンパーは円筒形である。
【００１６】
有利には、各ダンパーは、１つ又はそれより多い周囲面を有する。
【００１７】
有利な一特徴によれば、キャビネットは、少なくとも１つのストップを有する。該ストップは、取付け点の各々に関連付けられるダンパーの周囲面に対して取り付けられる。
【００１８】
望ましくは、キャビネットは、一体にされた前方面及び一体にされた後方面を有し、取付け点の各々に対して、前方面及び後方面の少なくとも一方は、各取付け点と関連付けられるダンパーの１つ又はそれより多い周囲面に対して取り付けられる少なくとも１つのストップ、及び／又は、ダンパーの位置決めを可能にするガイド手段を有する。
【００１９】
有利には、ダンパーの各々は、エラストマ材料又は天然ゴムから作られる。
【００２０】
望ましくは、ダンパーの各々は、５０ショアＡより高いかあるいは同等であり、且つ７０ショアＡより低いかあるいは同等である、硬度を有する。
【００２１】
特定の一特徴によれば、スクリーンは液晶スクリーンである。
【発明を実施するための最良の形態】
【００２２】
本発明は、以下の記載によって、よりよく理解され、他の具体的な特性及び利点が明らかとなる。以下の説明において、添付の図面が参照される。
【００２３】
本発明の一般的原理は、フラットスクリーンのフローティング組立体（ｆｌｏａｔｉｎｇ  ａｓｓｅｍｂｌｙ）に基づき、キャビネットとスクリーンとの間の接続は、モノリシック構造ダンパーを介して達成される。故に、本発明は、実施が比較的単純（単純な構成特性及び比較的容易な組立て）であると同時に、装置全体が優れた機械的強度を有することを保証する。
【００２４】
望ましくは各ダンパーは、ダンパーの凹部において位置決めされるロッドによってスクリーンに対して接続され、実施が比較的単純であり且つ機械的に剛性であるという利点を有する。ここでは、ロッドは、細長い機械要素である。例えばこれは、スクリュー又はロッドであり得、スクリーンに対してねじ締めされる（また可能であれば接着される）ねじ山部と、ねじ山を付けられているあるいは付けられていていない、均等な断面を有する又は有さない部分とを有し、ダンパーの凹部において位置決めされる。
【００２５】
図１は、本発明の望ましい一実施例に従うディスプレイ装置の背面図を概略的に示す。
【００２６】
ディスプレイ装置１は：
・  キャビネットの前方面１０、
・  キャビネットの後方面１２、
・  ＳＡＭＵＳＵＮＧ（登録商標）社から市販されているＬＣＤ型等であり、望ましくは３０乃至５０ｍｍである厚さを有する、フラットスクリーン１１、及び、
・  スクリーン１１のコーナー部に近接して位置決めされる４つの取付け点１３乃至１６、
を有する。
【００２７】
図２は、（後方からの）斜視図に従って取付け点１３を定義する。
【００２８】
取付け点１３は：
・  前方面１０と関連付けられる取付け及びガイドラグ（ｇｕｉｄｅ  ｌｕｇ）１００、
・  後方面１２と関連付けられる後方ストップ１２０、
・  取付けねじ１７（部分的又は完全にねじ山を付けられた部分と、より大きな直径を有するヘッドとを有するロッド）、及び、
・  ねじ１７を用いてスクリーン１１に対して取り付けられ、ラグ１００及び後方ストップ１００を有して適所に保持される、ダンパー１８、
を有する。
【００２９】
取付け点１４乃至１６は、取付け点１３と同様であり、より詳細には説明されない。
【００３０】
望ましくは後方ストップ１２０は、金属シート又はプラスチック材料から作られる。該ストップは、特に、（成形等による）製造中に後方面１２の一部となり得るか、あるいは、この後方面１２に対して（ねじ締め、接着、溶接等によって）付け加えられる。
【００３１】
図３は、取付け点１３を詳細に示す。
【００３２】
前方面１０は、複数のねじ締め点（ｓｃｒｅｗｉｎｇ  ｐｏｉｎｔｓ）１０１及び取付け点１３に関連付けられる取付けラグ１００を有する。後方面１２は、複数のねじ締めラグ１２１及び取付け点１３に関連付けられる後方ストップ１２０を有する（望ましくは、キャビネットの各コーナー部に関連付けられる２つのねじ締めラグ１２１及び２つのねじ締め点１０１があり、ねじ締め点及びラグは、図２中に示される通り、コーナー部に対して近接する各側部上にある。）後方面１２及び前方面１０は、ねじ締めラグ１２１を用いて剛性であるよう、一体的に保持される。ラグ１２１の各々において、ねじ（明確にするよう図３中には示さず）は、ねじ締めラグ１２１が適用されるところのねじ締め点１０１へとねじ締めされる。
【００３３】
図４は、取付け点１３の断面図である。
【００３４】
ダンパー１８は、１つのモノリシック構造部から望ましくは作られ、コストを低減し、且つその製造及び取付け点の組立てを容易にする。ダンパー１８は、望ましくは５０乃至７０ショアＡである硬度を有する、制振材を有する。ダンパー１８の材料は、例えばＳＥＢＳ（スチレンエチレンブチレンスチレン）のタイプであり、望ましくはエラストマ又は天然ゴム（天然ではないゴムはエラストマである）である。
【００３５】
ダンパー１８は、ねじ１７を用いてスクリーン１１上へとねじ締めされるようにする凹部を有し、ねじの軸及び凹部は、ＸＸ’方向に一致する。更には、ＺＺ’は後方ストップ１２０に対して垂直な軸であり、ＹＹ’は、ＸＸ’及びＺＺ’に対して垂直な方向である。ねじ１７は、ねじ山をつけられた円筒形部分１７１、及び該円筒形部分より大きい直径を有するヘッド１７０を有する。圧迫することなく、あるいは僅かに圧迫することによってスクリーン上にダンパー１８を保持するよう、リベット１９は、ねじ１７の移動を制限し得ると同時にダンパー１８の優れたサポートを保証するよう、設計され、ねじのヘッド１７０は、リベット１９のヘッド無しで先端に対して適用される。リベットのボディ１９０は、ダンパーの凹部において収容され、そのヘッド１９１（又はビード）は、スクリーン１１に対して近接するダンパー１８の小さなホールにおいて収容される。ダンパー１８は、望ましくは、スクリーン１１の対向する側部上に凹部を有し、ダンパー１８から突出するヘッドが無いねじヘッド１７０に対する収容を可能にする。故に、取付け点の寸法は、制限される（有利には、ねじ１７のヘッド１７０は、軸ＸＸ’に沿ったスクリーンに対向するダンパー１８の外部表面と同一平面にある）。本発明の１つの変形によれば、リベット１９は、ダンパーの凹部において収容される、（無頭リベットに相当する）円筒形の管によって置き換えられる。この場合、ダンパーは、リベットヘッドを収容するよう設計されるくぼみ（ｈｏｌｌｏｗ）を有さない。本発明の他の変形によれば、ねじ１７は、ねじ込まれ得るねじ山を付けられた部分、及び、ねじ締め動作中のねじの移動を制限するよう（リベットボディ１９の寸法に対応する長さを有する）ねじ山をつけられていない部分を有する。
【００３６】
ダンパー１８は、望ましくは円筒形であり、側方周囲（ｌａｔｅｒａｌ  ｐｅｒｉｐｈｅｒｙ）上において、それを取り囲む溝１８１を有する。この溝１８１は、ガイドラグ１００の通過、及びダンパー１８の位置決め（又はセンタリング）を可能にする。本発明の１つの変形によれば、ダンパーは、（立方体等である）非円筒形状を有し、１つ又はそれより多い側部上に溝を有する。
【００３７】
更には、後方ストップ１２０は、ダンパー１８の周囲面に対して適用され、故にその保持を保証する。前方面１０及び後方面１２は、互いに対して取り付けられ、ダンパーは、後方ストップ１２０とガイドラグ１００との間において保持される。
【００３８】
故に、ダンパー１８は、スクリーン１１がバランスのとれた位置において保持され得るようにし、従ってＸＸ’、ＹＹ’、及びＺＺ’方向における応力を受けない。更には、（例えばスクリーンが触知性である場合はユーザによる圧力である）スクリーン上でのインパクト又は圧力の場合において、ダンパーは、スクリーン１１がＸＸ’、ＹＹ’、及びＺＺ’方向のうち１つ又はそれより多くにおいて僅かに動き得るようにし、従ってスクリーン１１上の応力を制限又は相殺する。よって、スクリーン１１の破損の危険性、又はスクリーン１１のディスプレイの品質における劣化は低減される。一般的に、本発明は、キャビネットとスクリーンとの間における機械的及び／又は音響的隔離を可能にする。
【００３９】
一例として、ダンパー１８の外径は、望ましくは、１５乃至３０ｍｍを有し、例えば２３．１ｍｍと同等である。その厚さは、望ましくは６乃至２０ｍｍであり、例えば１２．５０ｍｍである。溝１８１の外径は、望ましくは１２乃至２０ｍｍであり、例えば１４．１ｍｍである。その厚さは、望ましくは２乃至５ｍｍであり、適合された後は例えば（ガイドラグ１００の厚さと同等である）３．２９ｍｍと同等である（有利には、ダンパーは、適合される際、各方向ＸＸ’、ＹＹ’、及びＺＺ’において約０．５ｍｍ分をわずかに圧迫される）。ガイドラグ１００は、システムがバランスととれた位置にある際にスクリーン１１と前方面１０との間において０．５ｍｍの適切なクリアランスを残すことによって、その先端が溝１８１の下部１８２と接触する奥行き（ｄｅｐｔｈ）を有する。ガイドラグの外部長さは、望ましくは、２４乃至２８ｍｍを有し、例えば、側面図である図５中に示される通り、取付け点１３から２６．７ｍｍと同等であり、ガイドラグの先端とストップ１２０との間において２．３ｍｍの空間が残され得るようにする。ラグ１００の外側部分の間の距離は、望ましくは２０乃至６０ｍｍであり、例えば３０．１ｍｍと同等である。装置１へと埃が侵入することを防ぐよう、フェルトストラップ４０は、スクリーン１１の周囲と前方面１０との間に置かれる。このストラップは、一般的に十分に可撓性があるため、前方面に対するスクリーン１１の奥行きにおける僅かな側方運動又は運動を妨害しない。ねじ１７の外径は、４ｍｍであり、スクリーン１１の凹部の内径に一致する。スクリーン１１の製造者は、この直径を決定し、ねじ１７（ねじのねじ山及び直径）は、当然のことながら、標準的なスクリーン１１の修正を避けるようスクリーン１１に従って選択される。ダンパー１８の凹部の内径は、５ｍｍである。リベット１９は、この凹部の内径とスクリーン１７との間において有される空間を満たす。一例として与えられる寸法は、ＺＺ’又はＹＹ’に沿って＋／−０．５ｍｍ、又はＸＸ’に沿って＋／−１ｍｍである値を有する装置１のキャビネットに対するスクリーン１１の運動を可能にする。
【００４０】
当然のことながら、かかる寸法は、例証を目的するために与えられるのみであり、本発明によれば、ダンパー、ストップ、ガイドラグ、リベット、及びねじの寸法は、機械的応力、所望されるダンピング、及び最大耐性に従って適合され得る。一般的には、ダンパーの寸法がより大きければ、キャビネットに対するスクリーンの相対運動上のダンピング及び耐性もより大きくあり得る。他方では、取付け点の寸法及びコストを制限するよう、取付け点の要素の寸法を制限することが望ましい。
【００４１】
ねじは、望ましくは、適切な工具（スクリュードライバ、アレンキー、トルクス（Ｔｏｒｘ）キー等）を有する容易なねじ締めを可能にするヘッドを有する。本発明の１つの変形によれば、ダンパーは、ねじヘッドを留める（ｌｏｄｇｅ）凹部を有さない。この変形によれば、ねじヘッドは、いかなる種類でもあり得る。（ヘッドは、スクリュードライバ又はレンチキー（ｗｒｅｎｃｈ  ｋｅｙ）を使用してねじ締めされるよう適切でなければならず、あるいは、同様に、六角形のヘッドは例えば、ソケットレンチを使用してねじ締めされるよう適切である。）他の変形によれば、ねじは、（ロッドがブロックされるようにし、且つスクリーンに対するロッドの移動を制限する保持リングを最終的に有して（ｗｉｔｈ  ｕｌｔｉｍａｔｅｌｙ））、スクリーンへとねじ締めされる及び／又は接着されるロッドによって置き換えられ、また、ナットは、このロッド上へとねじ締めされる（ダンパーの与えられた凹部へと一体にされる、あるいはダンパーに対してねじ締めされる）。
【００４２】
図６は、取付けラグ１００の側面図を示す（軸ＸＸ’に沿った面）。
【００４３】
取付けラグ１００は、溝１３１のくぼみ（ｈｏｌｌｏｗ）１８２に対して置かれるくぼみ部分（ｈｏｌｌｏｗ  ｐａｒｔ）１０００、面取り面（ｃｈａｍｆｅｒ）１００１、及び斜角をなす部分（ｓｐｌａｙｅｄ  ｐａｒｔ）１００２を有し、ダンパー１８の挿入を可能にする。また、該ラグは、２つのエッジ部１００５及び１００６を有する。該エッジ部は、取付けラグ１００の他の部分より厚く、ラグ１００の効果的な剛性を保証する。望ましくは、エッジ部１００５及び１００６は、テイパされ（テイパは、部分１００２のテイパに対して顕著に平行である）、また、その自由先端において図３中に示される通り傾斜を有し、スクリーン１１に対して接続される際にダンパー１８の挿入を容易にする（ダンパー１８の側部は、製造段階中にこのスロープ上を摺動することができる。ダンパー１８は、適所にある際、エッジ部１００５及び１００６に接触してはいけない）。取付けラグ１００は、前方面１０に対して成形され得るか、あるいは何からの方途（接着、ねじ締め）において前方面１０の外側部分１０３に対して取り付けられる。該ラグは、例えば、プラスチック又は金属材料を有する。
【００４４】
当該装置のスクリーン１１の組立体は、故に、比較的容易且つ経済的である：
・  第１の段階中、ダンパー１８及びリベット１９は共に、スクリーン１１上へとねじ締めされ、フェルトストラップ４０は、適所におかれる。
・  続いて、スクリーン１１は、前方面１０上において（例えば水平方向に）位置付けられ（この動作はラグ１００の形状によって容易にされる）、また、
・  後方面１２は、前方面１０に対して位置付けられ、取り付けられる。
【００４５】
したがって、本発明は、比較的単純な部分の使用実施され得るようにするだけではなく、容易な（故に経済的な）ディスプレイ装置の組立ても可能にする。
【００４６】
図７は、本発明の他の特定の実施例に従ったディスプレイ装置７を提示する。
【００４７】
装置７は、前方面７２、後方面７０、及びスクリーン１１を有する。該スクリーンは、軸ＺＺ’（スクリーンに対して垂直である軸）、ＸＸ’（スクリーン幅に沿う軸）、及び／又はＹＹ’（スクリーン１１の高さに沿い、軸ＺＺ’及びＸＸ’に対して垂直である軸）に沿ったインパクト、圧力及び／又は振動中に、僅かに動くことができる。
【００４８】
装置１及び７の共通の要素は、同一の名称及び参照符号を有し、更に詳細に説明されない。
【００４９】
夫々前方７２及び後方７０である面は、その周囲に分布される取付け点７２０乃至７２４、及び取付け点７０２乃至７０４を夫々有し、前方面７２上への後方面７０の取付けを可能にする。
【００５０】
４つのダンパー７３及び７４は、スクリーン１１に対して取り付けられ、スクリーン１１のコーナー部に近接して位置決めされる。後方面７０は、各ダンパー７３及び７４に対向する、軸ＸＸ’及びＹＹ’に沿った運動を制限するストップ７０１又は７０２を有する。
【００５１】
図８は、ダンパー７４と関連付けられる取付け点をより詳細に図示する。装置７のダンパーに関連付けられる他の取付け点は、同様であり、更に詳細には記載されない。
【００５２】
ダンパー７４はモノリシック構造であり、５０乃至７０ショアＡである硬度を有する制振材を有する。ダンパー７４の材料は、例えばＳＥＢＳ（スチレンエチレンブチレンスチレン）のタイプであり、望ましくはエラストマ又は天然ゴムである。該ダンパーは、長手方向の内部凹部を有する円筒形状を有し、周囲面は潤滑である（即ち溝がない）。例示するために、内径及び外径は、４ｍｍ及び２３．１ｍｍと同等である。本発明の１つの変形によれば、ダンパーは、非円筒形状を有する（例えば立方体又は六角形）。
【００５３】
ねじ８０は、スクリーン１１上へとねじ締めされる。該ねじは、ねじ山を付けられた部分８００及びダンパー７４の凹部において収容するヘッド８０１を有する。ヘッド８０１の長さは、凹部の深さより約２ｍｍより小さい。一般的には、ヘッド８０１の長さは、凹部の深さに近接し、ダンパー７４に対して優れたサポートを与えるが、望ましくは、方向ＸＸ’におけるスクリーンの運動を可能にするようストップ７０２の間において１ｍｍより大きい又は１ｍｍと同等である間隔を与える。
【００５４】
前方面７２は、ストップ７２６を有し、該ストップは、方向ＺＺ’及びＹＹ’におけるダンパー７４の運動を制限する。望ましくは、ストップ７２６は、ダンパー７４に対して適用される平坦又は半円筒形部分７２６１を有し、故にＺＺ’方向におけるその運動を制限する。また、該ストップは、ＹＹ’方向の周りでのダンパー７４の運動を制限する平坦部７２６０（又は部分７２６１に連続する半円筒形である）を有する。特定の一実施例によれば、部分７２６０は、外側に向かってテイパされる形状を有し、組立て中の前方面７２上でのスクリーン１１の位置決めを容易にする。
【００５５】
後方面７０は、ストップ７０２を有し得る。該ストップ自体は、装置７のダンパーに関連付けられるストップの効果の組合せによりＸＸ’方向におけるダンパー７４の運動を制限する（２つのストップ７０２（７０１）は、図７に従って右（左）に向かう運動を阻止する）平坦部７０２１、及び、ＺＺ’方向におけるダンパー７４の運動を制限する平坦又は半円筒形部分を有する。
【００５６】
装置７のスクリーン１１の組立てはまた、比較的容易且つ経済的である：
・  第１の段階中、ねじ８０及びダンパー７４は、スクリーン１１上に位置付けられ、フェルトストラップ４０が設置される。
・  続いてスクリーン１１は、前方面７２上へと位置付けられる。
・  後方面７０は、前方面７２に対して位置付けられ、取り付けられる（故に後方及び前方面は一体的である）。
【００５７】
本発明の１つの変形によれば、ストップ７２６の部分７２６０は、（ガイド機能を保護する保護するよう）削減されるか（ｒｅｄｕｃｅｄ）、あるいはストップ７０２に対して取り付けられるストップによって置き換えられ、軸ＹＹ’に沿ったダンパーの運動を制限し、また組み立てられる際に後方面の位置付けをガイドするようにする。
【００５８】
本発明の一変形によれば、ストップ７０２及び７０６は、前方面７２又は後方面７０のうち一方のみと関連付けられる。この場合、該ストップは、２つの別個の部分又は１つの単一なモノリシック構造部分（Ｕ字型）を形成し得る。この変形によれば、望ましくはストップは、（ねじ締め、接着、又は溶着等によって）対応する面に対して、スクリーンに対して既に取り付けられているダンパー上へと位置付けられた後、並びにこの面がキャビネットの他方の面に対して取り付けられる前に取り付けられる。
【００５９】
当然のことながら、本発明は、前述された実施例に対して制限されない。
【００６０】
特には、当業者は、（特には、スクリーンの寸法、スクリーンの種類、製造者等に依存して）必ずしも４と同等ではなく、３、５又はそれより多くと同等である複数のスクリーン取付け点、及び／又は、必ずしも側方（ｌａｔｅｒａｌ）ではない（例えばスクリーン上又はスクリーンの下方）位置を有する装置を実施することができる。
【００６１】
更には、本発明は、ＬＣＤ型のスクリーンの取付けに制限されず、全ての、特には３０乃至５０ｍｍの厚さを有するフラットスクリーンに関わる。
【００６２】
本発明はまた、フラットスクリーンディスプレイ装置に関わる。該装置において、ダンパーは、キャビネット）前方及び／又は後方面）に対して取り付けられ、ストップ及び／又はガイドは、ＸＸ’、ＹＹ’、及びＺＺ’方向における運動を制限するようスクリーン上へとねじ締めされる（ガイド又はストップは、スクリーン上の垂直方向運動を制限する；ストップは、可能であれば、複数のダンパーの効果を併せることによって、他の方向における運動を制限する）。
【００６３】
本発明は、ダンパーがロッド又はストップによってではなく、機械的手段（特には複数のロッドによる）又は接着等である他の手段によってスクリーンに対して接続される装置に同等に関わる。
【図面の簡単な説明】
【００６４】
【図１】本発明の望ましい一実施例に従うディスプレイ装置の非常に概略的な前面図である。
【図２】図１中に示される装置のキャビネットに対するフラットスクリーンの取付け点の概略図である。
【図３】図２中の取付け点をより詳細に図示する。
【図４】図２中に示される取付け点の断面図である。
【図５】図２中の取付け点の側面図である。
【図６】図２中の取付け点におけるキャビネットと関連付けられるガイドラグを図示する。
【図７】本発明の１つの変形に従うディスプレイ装置の平面図を概略的に示す。
【図８】図７中の装置の取付け点の断面図である。
【図１】
2008538144.tif 000003
【図２】
2008538144.tif 000004
【図３】
2008538144.tif 000005
【図４】
2008538144.tif 000006
【図５】
2008538144.tif 000007
【図６】
2008538144.tif 000008
【図７】
2008538144.tif 000009
【図８】
2008538144.tif 000010
【手続補正書】
【提出日】平成19年10月18日(2007.10.18)
【手続補正１】
【補正対象書類名】特許請求の範囲
【補正対象項目名】全文
【補正方法】変更
【補正の内容】
【特許請求の範囲】
【請求項１】
フラットスクリーンと、キャビネットと、該キャビネットに対する前記スクリーンの取付け点と、を有するディスプレイ装置であって、
前記取付け点の各々は、ダンパーを有し、
該ダンパーの各々は、モノリシック構造であり、前記スクリーンは、前記キャビネットに対する前記スクリーンの相対運動を全ての方向において可能にするように前記ダンパーを用いて前記キャビネットに対して接続され、また、各ダンパーは、少なくとも１つの溝を有し、前記キャビネットは、前記ダンパーの各々に関連する前記キャビネットのガイド手段を有する、ことを特徴とし、
また、各ダンパーは：
・  少なくとも１つの溝と、
・  前記スクリーンに対して取り付けられるロッドが位置付けられ、前記ダンパーと前記スクリーンとの間における機械的接続を確保する、凹部と、
を有する、ことを特徴とし、
前記キャビネットは、前記ダンパーの各々に関連する前記キャビネットのガイド手段を有する、
装置。
【請求項２】
前記ロッドは、円筒形部分と、前記円筒形部分より上回る大きい直径を有するヘッドとを有する、ことを特徴とする、
請求項１記載の装置。
【請求項３】
前記ヘッドは、前記ダンパーにおいて収容される、ことを特徴とする、
請求項２記載の装置。
【請求項４】
前記装置は、少なくとも部分的に管状且つ剛性な部分を有し、
該管状且つ剛性な部分は、前記ロッドの移動を制限するよう前記ロッドの前記円筒形部分と前記ダンパーとの間に挿入され、前記ロッドの前記ヘッドは、前記管状且つ剛性な部分の先端に対して適用される、
ことを特徴とする、
請求項２又は３記載の装置。
【請求項５】
前記部分は、リベットであり、前記先端に対向する前記リベットのヘッドは、前記スクリーンに対して取り付けられる、ことを特徴とする、
請求項４記載の装置。
【請求項６】
前記ロッドは、ヘッドを有さない、ことを特徴とする、
請求項１記載の装置。
【請求項７】
各ダンパーは、円筒形である、ことを特徴とする、
請求項１乃至６のうちいずれか一項記載の装置。
【請求項８】
各ダンパーは、１つ又はそれより多い潤滑な周囲面を有する、ことを特徴とする、
請求項１乃至７のうちいずれか一項記載の装置。
【請求項９】
前記キャビネットは、前記取付け点の各々に関連付けられる前記ダンパーの前記周囲面に対して取り付けられる少なくとも１つのストップを有する、ことを特徴とする、
請求項１乃至８のうちいずれか一項記載の装置。
【請求項１０】
前記キャビネットは、一体にされた前方面と後方面とを有し、前記取付け点の各々に対して、前記前方面及び後方面のうち少なくとも一方は、前記取付け点の各々と関連付けられる前記ダンパーの１つ又はそれより多い周囲面に対して取り付けられる少なくとも１つのストップを有する、
ことを特徴とする、
請求項１乃至９のうちいずれか一項記載の装置。
【請求項１１】
前記キャビネットは、一体にされた前方面と後方面とを有し、前記取付け点の各々に対して、前記前方面又は前記後方面のうち少なくとも一方は、前記ダンパーの位置付けを可能にするガイド手段を有する、
ことを特徴とする、
請求項１乃至１０のうちいずれか一項記載の装置。
【請求項１２】
前記ダンパーの各々は、エラストマ材料又は天然ゴムから作られる、
請求項１乃至１１のうちいずれか一項記載の装置。
【請求項１３】
前記ダンパーの各々は、５０ショアＡより高いあるいは５０ショアＡと同等であり、且つ７０ショアＡより低いあるいは７０ショアＡと同等である、硬度を有する、
請求項１乃至１２のうちいずれか一項記載の装置。
【請求項１４】
前記スクリーンは、液晶ディスプレイスクリーンである、ことを特徴とする、
請求項１乃至１３のうちいずれか一項記載の装置。
【手続補正２】
【補正対象書類名】明細書
【補正対象項目名】００２４
【補正方法】変更
【補正の内容】
【００２４】
望ましくは各ダンパーは、ダンパーの凹部において位置決めされるロッドによってスクリーンに対して接続され、実施が比較的単純であり且つ機械的に剛性であるという利点を有する。ここでは、ロッドは、細長い機械要素である。例えばこれは、スクリュー又はロッドであり得、該スクリュー又はロッドは、スクリーンに対してねじ締めされる（また可能であれば接着される）ねじ山部と、ねじ山を付けられているあるいは付けられていていない、均等な断面を有する又は有さない部分とを有し、ダンパーの凹部において位置決めされる。
【国際調査報告】
2008538144.tif 000011
2008538144.tif 000012
2008538144.tif 000013
2008538144.tif 000014
2008538144.tif 000015
2008538144.tif 000016